(57)【要約】【課題】牽引するケーブルの先端部をネットで被うことにより先端部の外径を膨らませずコンパクト化し、かつ可撓性をよくし、これにより管路内径の小径化に対応できると共に曲がった管路内であっても、極めてスムーズに抵抗なく通過できるケーブル牽引用プーリングアイを提供する。【解決手段】複数本のケーブル１の先端をケーブルクランプ固定金具４に固定し、当該ケーブルクランプ固定金具４の先端のフック４ｃに牽引ワイヤーを引っ掛けて、当該牽引ワイヤーにより管路内に上記ケーブル１を引き入れるプーリングアイにおいて、各ケーブル１の先端部にケーブルクランプ２を取り付け、各ケーブルクランプ２をケーブルクランプ固定金具４に係止し、これらのケーブルクランプ固定金具４、ケーブルクランプ２、及びケーブル１の先端部を、先端開口部８ａの内径がケーブルクランプ固定金具４の外径より小さい略筒状のネット８で被った。【選択図】    図１
2005130547.tif 000002
【特許請求の範囲】
【請求項１】
複数本のケーブル先端をケーブルクランプ固定金具に固定又は係止し、当該ケーブルクランプ固定金具の先端のフックに牽引ワイヤーを引っ掛けて、当該牽引ワイヤーにより管路内に上記ケーブルを引き入れるプーリングアイにおいて、
各ケーブルの先端部にケーブルクランプを取り付け、各ケーブルクランプをケーブルクランプ固定金具に係止し、これらのケーブルクランプ固定金具、ケーブルクランプ、及びケーブル先端部を、先端開口部内径がケーブルクランプ固定金具の外径より小さい略筒状のネットで被ったことを特徴とする、ケーブル牽引用ワーヤーネット式プーリングアイ。
【請求項２】
上記ケーブルクランプは、クランプ本体のテーパー孔にケーブルの先端部を通し、このテーパー孔の反対側開口部から楔を打ち込んでクランプ本体にケーブルを固定し、上記反対側開口部にキャップを被せて螺着し、当該キャップの先端のボルト軸を上記ケーブルクランプ固定金具の孔に通して、ケーブルクランプ固定金具の先端面から突出したボルト軸にナットを螺着して、固定する組み立てプレハブ型としたことを特徴とする、請求項１記載のケーブル牽引用ワーヤーネット式プーリングアイ。
【請求項３】
複数本のケーブル先端をケーブルクランプ固定金具に固定又は係止し、当該ケーブルクランプ固定金具の先端のフックに牽引ワイヤーを引っ掛けて、当該牽引ワイヤーにより管路内に上記ケーブルを引き入れるプーリングアイにおいて、
各ケーブルの先端部を束ねて、キャップ状のケーブル先端カバーを被せ、ケーブルクランプ固定金具をその前部に位置させ、これらのケーブルクランプ固定金具、ケーブル先端カバー、及びケーブル先端部を、先端開口部内径がケーブルクランプ固定金具の外径より小さい略筒状のネットで被い、当該ネットの後端開口部部分をケーブル外周に固定したことを特徴とする、ケーブル牽引用ワイヤーネット式プーリングアイ。
【発明の詳細な説明】
【技術分野】
【０００１】
この発明は、複数本のケーブルを管路内に引き入れる際、複数本のケーブル先端をケーブルクランプ固定金具に固定し、当該ケーブルクランプ固定金具の先端のフックに牽引ワイヤーを引っ掛けて、当該牽引ワイヤーにより管路内に上記ケーブルを引き入れるプーリングアイに関するものである。
【背景技術】
【０００２】
従来のケーブル牽引用プーリングアイは、例えば、図１２に示すように、複数本の各ケーブル５１の先端にケーブルクランプ５２を取り付け、当該各ケーブルクランプ５２を、先端にアイ型のフック５３ａを突設した円盤状のケーブルクランプ固定金具５３に固定し、これらのケーブルクランプ固定金具５３、ケーブルクランプ５２及びケーブル５１の先端部を被うキャップ状の鋼管製のカバー５４をケーブルクランプ固定金具５３に設けている。そして、この鋼管製のカバー５４によりケーブル先端部を保護して、上記ケーブルクランプ固定金具５３のフック５３ａに牽引用ワイヤー（図示省略）を係止して、当該牽引用ワイヤーにより、管路（図示省略）内にケーブルを引き入れている。
【特許文献１】特開２００１−２１８３５１号公報
【発明の開示】
【発明が解決しようとする課題】
【０００３】
従来と比べて内径が小さな管路にケーブルを延線する必要性が増しており、かつ、その管路は曲がっている場合が多い。
しかしながら、このキャップ状の鋼管製のカバー５４は、複数本のケーブル５１を束ねた外径より、大きい外径を有し、その上、鋼管製のため可撓性がない。そのため、管路の他端から牽引ワイヤーにより管路内にケーブルを引き入れる際、このプーリングアイを用いてケーブルを引き入れると、ケーブル先端の上記鋼管製のカバー５４の外径が大きいため、管路の内壁に当ったりして、通過性が非常に悪い。しかも、管路が曲がっている場合は、上記鋼管製のカバー５４は可撓性がなく、かつ大径のため、なおさら通過しにくい。
また、この鋼管製のカバーを使用したプーリングアイの外径は、ケーブルの太さに関係なく一定である。わざわざケーブルの径に合わせた鋼製のカバーを複数種類設けると、コストが高くなってしまうため、１種類のものしか用意していない。それ故、小さな外径のケーブルでも大きな外径の鋼管のカバーを用いたプーリングアイを用いなければならず、管路引き入れの際は、ケーブル先端の上記鋼管製のカバー箇所の通過性が悪いのが現状である。
【０００４】
この発明はこれらの点に鑑みて為されたもので、牽引するケーブルの先端部をネットで被うことにより先端部の外径を膨らませずコンパクト化し、かつ可撓性をよくし、これにより管路内径の小径化に対応できると共に曲がった管路内であっても、極めてスムーズに抵抗なく通過できるケーブル牽引用プーリングアイを提供し、上記課題を解決しようとするものである。
【課題を解決するための手段】
【０００５】
請求項１項の発明は、複数本のケーブル先端をケーブルクランプ固定金具に固定又は係止し、当該ケーブルクランプ固定金具の先端のフックに牽引ワイヤーを引っ掛けて、当該牽引ワイヤーにより管路内に上記ケーブルを引き入れるプーリングアイにおいて、各ケーブルの先端部にケーブルクランプを取り付け、各ケーブルクランプをケーブルクランプ固定金具に係止し、これらのケーブルクランプ固定金具、ケーブルクランプ、及びケーブル先端部を、先端開口部内径がケーブルクランプ固定金具の外径より小さい略筒状のネットで被った、ケーブル牽引用ワイヤーネット式プーリングアイとした。
【０００６】
また、請求項２の発明は、上記請求項１の発明において、上記ケーブルクランプは、クランプ本体のテーパー孔にケーブルの先端部を通し、このテーパー孔の反対側開口部から楔を打ち込んでクランプ本体にケーブルを固定し、上記反対側開口部にキャップを被せて螺着し、当該キャップの先端のボルト軸を上記ケーブルクランプ固定金具の孔に通して、ケーブルクランプ固定金具の先端面から突出したボルト軸にナットを螺着して、固定する組み立てプレハブ型とした。
【０００７】
また、請求項３の発明は、複数本のケーブル先端をケーブルクランプ固定金具に固定又は係止し、当該ケーブルクランプ固定金具の先端のフックに牽引ワイヤーを引っ掛けて、当該牽引ワイヤーにより管路内に上記ケーブルを引き入れるプーリングアイにおいて、各ケーブルの先端部を束ねて、キャップ状のケーブル先端カバーを被せ、ケーブルクランプ固定金具をその前部に位置させ、これらのケーブルクランプ固定金具、ケーブル先端カバー、及びケーブル先端部を、先端開口部内径がケーブルクランプ固定金具の外径より小さい略筒状のネットで被い、当該ネットの後端開口部部分をケーブル外周に固定した、ケーブル牽引用プレハブ型ネット式プーリングアイとした。
【発明の効果】
【０００８】
請求項１の発明によれば、管路内に引き入れられるケーブル先端部は、ワイヤーネットによるカバーで被われ、管路内周壁との当接の衝撃などから保護されると共に、従来の鋼管によるカバーと異なり、ケーブル先端部の外径を膨らますことなく、小径を維持できるため、管路内の通過性能が非常に良い。しかもワイヤーネットは可撓性を有するため、管路の曲りに沿ってネットで被われたケーブル先端部分も曲り、管路の曲部箇所においてもスムーズにケーブルは通過できる。
また、請求項２の発明によれば、ケーブルへのケーブルクランプの脱着、ケーブルクランプのケーブルクランプ固定金具への脱着が容易で、現場で組み立て、分解が可能であり、また、これらの部品を異なる現場で再度使用できるので、コスト低減を図れる。
また、この発明は、牽引するケーブルが細く、長さが短ければ、請求項３の発明の構成のように、ケーブルクランプを使用せずに簡単にプーリングアイを組み立てることが出来る。従って、この発明のプーリングアイの場合、現場状況にあわせて請求項１のものにするか請求項３のものにするかを選ぶことが出来る。
【発明を実施するための最良の形態】
【０００９】
上記のプーリングアイにおいて、複数本のケーブル先端部及びケーブルクランプ固定金具の外周を、先端開口部内径がケーブルクランプ固定金具の外径より小さい略筒状のネットで被うことにより、ケーブル先端部の外径を膨らませずに、ケーブル等を保護でき、かつ管路の曲りに沿ってケーブル先端部分も曲り、管路内の通過性能が非常に良い。
【実施例１】
【００１０】
以下この発明を図面に基いて詳細に説明する。以下の図面では、一例としてケーブル本数が３本の場合について説明する。
図２は、この発明のワイヤーネットを取り外した状態のプーリングアイの一部断面側面図であり、図３はその正面図である。
これらの図において、複数本の各ケーブル１の先端に、ケーブルクランプ２を取り付けており、当該各ケーブルクランプ２は先端に設けたボルト軸３の先端を、ケーブルクランプ固定金具４の円盤部４ａに穿った三つの孔４ｂのそれぞれに通し、当該円盤部４ａの他面から突出した各ボルト軸３にナット５を螺着して締め付け、ケーブルクランプ固定金具４に固定している。このケーブルクランプ固定金具４は上記円盤部４ａの一面中央に、牽引ワイヤー（図示省略）を係止するアイ型のフック部４ｃを設け、さらにこのフック部４ｃの一側に補強板４ｄを固定している。なお、このケーブルクランプ固定金具４の詳細図は図４及び５に示す。
【００１１】
図６は、各ケーブル１に各ケーブルクランプ２を取り付けた状態を示す断面正面図である。ケーブル１はその先端部の被覆を剥ぎ取り、芯線１ａをケーブルクランプ２のクランプ本体２ａのテーパー孔２ｂに挿入し、本体２の反対側の開口部から、芯線１ａの中央部に楔６を打ち込み、当該開口部をＯリング７を介在させて、キャップ２ｃを螺着して、塞いだものである。また、このキャップ２ｃの外側には上記ボルト軸３を突設し、このボルト軸３にナット５を螺着している。
【００１２】
次に、このようにして各ケーブル１の先端部をケーブルクランプ固定金具４に固定した後、図１に示すように、これらのケーブルクランプ固定金具４、ケーブルクランプ２、及びケーブル１の先端部を、略筒状のワイヤーネット８で被ったものである。このワイヤーネット８は、図１及び図７に示すように、先端開口部８ａの開口内径がケーブルクランプ固定金具４の外径より小さくなっており、後端開口部８ｂは、上記複数のケーブル１の外周に巻きつけて固定するよう多数のワイヤーが伸びている。具体的には、当該ワイヤーネット８のワイヤーは、Φ２ｍｍを使用し、上記先端開口部８ａは、ケーブルクランプ固定金具４の外径Φ８４ｍｍより小さいΦ５０ｍｍのリング状のものを使用した。
【００１３】
以上の構成からなるプーリングアイを、図８に示すように、先端のフック部４ｃに牽引ヤイヤー９を通して引っ掛け、この牽引ワイヤー９を引っ張ることにより、管路１０内に引き入れる。これにより、牽引ワイヤー９、ケーブルクランプ固定金具４、ケーブルクランプ２、及び複数本のケーブル１が順に引っ張られ、管路１０内を牽引されていく。そして、これらに被せられたワイヤーネット８は上記牽引ワイヤー９の張力は直接かからないが、上記ケーブルクランプ固定金具４にその先端開口部８ａが係止されて引っ張られ、管路１０の内周面との摩擦によりその径をややすぼませて、ケーブルクランプ固定金具４やケーブルクランプ２及びケーブル１の外周に密着する。また、図８に示すように、管路１０が曲がっている場合は、このワイヤーネット８の部分も管路１０の曲りに沿ってまがり、牽引される。
【００１４】
上記この発明のプーリングアイと上記従来品のプーリングアイとを用いてケーブルを模擬管路に引き入れた試験結果を、図９に示す。なお、図ではこの発明のプーリングアイを「ワイヤーネット型」で表現し、従来品を「現行品」と表示している。この試験の引き入れ条件は以下の通りである。
管路：ＳＶＰΦ１００×１０ｍ（曲５ｍＲ）
ケーブル  ：ＣＶＴ３２５ｍｍ２×１０ｍ      
引き入れ負荷荷重（バックテンション）：１２００ｋｇｆ
【００１５】
図９を見ると、この発明のプーリングアイ「ワイヤーネット型」は従来品のプーリングアイ「現行品」と比べ、引き入れ長が長くなるにつれ、引き入れ張力が小さくなっている。
これは、この発明のプーリングアイが、ケーブル１の先端部、ケーブルクランプ２及びケーブルクランプ固定金具４をワイヤーネット８で被っているだけで、従来のような鋼管製のキャップを設けていないので当該箇所の外径が大きくならず、細いため、また、ワイヤーネット８が被っている部分が自由に屈曲することから管路の曲部においてもケーブル先端部の通過性能がよいことを証明している。
【００１６】
また、細く短いケーブルを引き入れる場合は、上記実施の形態例に替えて、図１０及び図１１に示すように、ケーブルクランプを用いなくても良い。即ち、複数本のケーブル１の先端部を束ねて、例えば樹脂製のケーブル先端カバー１１を被せ、このケーブル先端カバー１１の先端に上記ケーブルクランプ固定金具４を当て、これらの上から上記ワイヤーネット８を被せる。そして、ワイヤーネット８の後端部８ｂを、束ねた複数のケーブル１の外周に固定する。
これにより、ケーブルクランプ固定金具４のフック部４ｃに牽引ワイヤーを通して係止し、この牽引ワイヤーを引っ張ると、ケーブルクランプ固定金具４にワイヤーネット８の先端開口部８ａが係止されて引っ張られて当該ワイヤーネット８に張力がかかり、ワーヤーネット８の後端開口部８ｂがケーブル１に固定されているため、ワイヤーネット８はその外径がすぼまり、ケーブル１及びケーブル先端カバー１１の外周に密着し、これを挟持する。このようにして、ケーブル１は牽引される。
【図面の簡単な説明】
【００１７】
【図１】この発明の実施の形態例のプーリングアイの正面図である。
【図２】この発明の実施の形態例のワイヤーネットを外したプーリングアイの一部断面側面図である。
【図３】この発明の実施の形態例のワイヤーネットを外したプーリングアイの正面図である。
【図４】この発明の実施の形態例に使用するケーブルクランプ固定金具の正面図である。
【図５】この発明の実施の形態例に使用するケーブルクランプ固定金具の側面図である。
【図６】この発明の実施の形態例に使用するケーブルにケーブルクランプを取り付けた状態を示す一部断面正面図である。
【図７】この発明の実施の形態例に使用するワイヤーネットの正面図である。
【図８】この発明の実施の形態例のプーリングアイを用いて、湾曲した管路内にケーブルを引き入れている状態を示す、正面図である。
【図９】この発明の実施の形態例のプーリングアイ及び従来品を用いたケーブルの模擬管路引き入れ試験のグラフ図である。
【図１０】この発明の他の実施の形態例のプーリングアイの正面図である。
【図１１】この発明の他の実施の形態例のワイヤーネットを外したプーリングアイの一部断面正面図である。
【図１２】従来品を示す一部断面正面図である。
【符号の説明】
【００１８】
１    ケーブル                      
２    ケーブルクランプ
２ａ  クランプ本体                  
２ｂ  テーパー孔
２ｃ  キャップ                      
３    ボルト
４    ケーブルクランプ固定金具      
４ａ  円盤部
４ｂ  孔                            
４ｃ  フック部
５    ナット                        
６    楔
７    Ｏリング                    
８    ワイヤーネット
８ａ  先端開口部                    
８ｂ  後端開口部
９    牽引ワイヤー                
１０    管路
１１    ケーブル先端カバー
【図１】
2005130547.tif 000003
【図２】
2005130547.tif 000004
【図３】
2005130547.tif 000005
【図４】
2005130547.tif 000006
【図５】
2005130547.tif 000007
【図６】
2005130547.tif 000008
【図７】
2005130547.tif 000009
【図８】
2005130547.tif 000010
【図９】
2005130547.tif 000011
【図１０】
2005130547.tif 000012
【図１１】
2005130547.tif 000013
【図１２】
2005130547.tif 000014